【手続補正書】
【提出日】令和1年10月15日(2019.10.15)
【手続補正１】
【補正対象書類名】特許請求の範囲
【補正対象項目名】全文
【補正方法】変更
【補正の内容】
【特許請求の範囲】
【請求項１】
−  フッ化ビニリデン単位及びテトラフルオロプロペン単位を含む１つ以上のポリマー鎖；及び
−  少なくとも１つのアルコール官能基、アセテート官能基、ビニル官能基、アジド官能基、アミン官能基、カルボン酸官能基、（メタ）アクリレート官能基、エポキシド官能基、シクロカーボネート官能基、アルコキシシラン官能基又はビニルエーテル官能基を含む１つ以上の官能性末端基
を含むコポリマー。
【請求項２】
前記ポリマー鎖が、フッ化ビニリデン単位及び２，３，３，３−テトラフルオロプロペン単位を含む、請求項１に記載のコポリマー。
【請求項３】
前記ポリマー鎖が統計的ポリマー鎖である、請求項１又は２に記載のコポリマー。
【請求項４】
各前記ポリマー鎖が、５００〜３０００００ｇ／モルの数平均モル質量を有する、請求項１から３のいずれか一項に記載のコポリマー。
【請求項５】
前記官能性末端基が、
ｏ  −ＣＨ２−ＣＨＩ−ＣＨ２−ＯＨ、
ｏ  −ＣＨ２−ＣＨＩ−ＣＨ２−ＯＡｃ（式中、ＯＡｃはアセテート官能基を表す）、
ｏ  −ＣＨ２−ＣＨ２−（ＣＨ２）ｍ−ＯＨ（式中、ｍは０〜１０の整数である）、
ｏ  −ＣＨ２−ＣＨ２−（ＣＨ２）ｍ−Ｏ−Ｃ（＝Ｏ）−ＣＨ＝ＣＨ２（式中、ｍは０〜９の整数である）、
ｏ  −ＣＨ２−ＣＨ２−（ＣＨ２）ｍ−Ｏ−Ｃ（＝Ｏ）−Ｃ（ＣＨ３）＝ＣＨ２（式中、ｍは０〜９の整数である）、
ｏ  −ＣＨ２−ＣＨ２−Ｎ３、
ｏ  −ＣＨ２−ＣＨ２−ＮＨ２、
ｏ  −ＣＨ２−ＣＯＯＨ、
ｏ  −（ＣＨ２）−ＣＨ＝ＣＨ２、
ｏ  −Ｏ−ＣＨ＝ＣＨ２、
ｏ  −Ｓｉ（ＯＲ）ｘ（ＣＨ３）３−ｘ（ｘは１〜３の整数であり、各Ｒは独立して１〜１０個の炭素原子を含むアルキル基を表す）、
ｏ  −Ｏ−ＣＨ２−エポキシド、及び
ｏ  −Ｏ−ＣＨ２−シクロカーボネート
から選択される、請求項１から４のいずれか一項に記載のコポリマー。
【請求項６】
式（Ｉ）Ｒｆ１−Ａ−Ｘの線状コポリマー（Ｘは「官能性末端基」であり、Ａは「ポリマー鎖」であり、Ｒｆ１はハロゲン化末端基を表す）である、請求項１から５のいずれか一項に記載のコポリマー。
【請求項７】
Ｒｆ１がフルオロアルキル鎖Ｆ−（ＣＦ２）２ｎ（ｎは１〜６の整数を表す）を表す、請求項６に記載のコポリマー。
【請求項８】
式（ＩＩ）Ｘ−Ａ−Ｒｆ２−Ａ’−Ｘの線状コポリマー（各Ｘは「官能性末端基」を表し、Ａ及びＡ’は各々「ポリマー鎖」を表し、Ｒｆ２はハロゲン化結合基を表す）である、請求項１から５のいずれか一項に記載のコポリマー。
【請求項９】
Ｒｆ２がフルオロアルキレン鎖（ＣＦ２）２ｎ（ｎは１〜６の整数を表す）を表す、請求項８に記載のコポリマー。
【請求項１０】
Ｒｆ２がＢ−Ｒｆ’−Ｂ’（Ｒｆ’はフルオロアルキレン鎖（ＣＦ２）２ｎを表し、ｎは１〜６の整数を表し、Ｂ及びＢ’は各々ハロゲン化単位から構成されるコポリマー鎖を表す）を表す、請求項８に記載のコポリマー。
【請求項１１】
Ｂ及びＢ’が、各々、式ＣＹ１Ｙ２＝ＣＹ３Ｙ４（Ｙ１、Ｙ２、Ｙ３及びＹ４は、Ｈ、Ｆ、Ｃｌ、Ｂｒ、ＣＦ３、Ｃ２Ｆ５及びＣ３Ｆ７から選択され、それらの少なくとも１つはフッ素原子である）の１つ以上のモノマーから誘導されるハロゲン化単位から構成されるコポリマー鎖を表す、請求項１０に記載のコポリマー。
【請求項１２】
Ｂ及びＢ’が、各々、フッ化ビニリデンモノマー、トリフルオロエチレンモノマー、テトラフルオロエチレンモノマー、２，３，３，３−テトラフルオロプロペンモノマー、フッ化ビニルモノマー、２−クロロ−１，１−ジフルオロエチレンモノマー、クロロフルオロ−１，１−エチレンモノマー、クロロフルオロ−１，２−エチレンモノマー、クロロトリフルオロエチレンモノマー、２−ブロモ−１，１−ジフルオロエチレンモノマー、ヘキサフルオロプロペンモノマー、３，３，３−トリフルオロプロペンモノマー、３，３，３−トリフルオロ−２−クロロプロペンモノマー、１，３，３，３−テトラフルオロプロペンモノマー、３，３，３−トリフルオロ−２−ブロモプロペンモノマー、１Ｈ−ペンタフルオロプロペンモノマー、３，３，３−トリフルオロ−１−クロロプロペンモノマー、ブロモトリフルオロエチレンモノマー及び２Ｈ−ペンタフルオロプロペンモノマーから誘導された単位から選択される単位から構成されるポリマー鎖を表す、請求項１０又は１１に記載のコポリマー。
【請求項１３】
Ｂ及びＢ’が、各々、５００〜３０００００ｇ／モルの数平均モル質量を有する、請求項１０から１２のいずれか一項に記載のコポリマー。
【請求項１４】
以下の式
【化１】
2018530662.tif 000001
［式中、各Ｘは「官能性末端基」を表し、Ａ、Ａ’及びＡ”は各々「ポリマー鎖」を表し、Ｒｆ３はハロゲン化結合基を表す。］の星型コポリマーである、請求項１から５のいずれか一項に記載のコポリマー。
【請求項１５】
式（ＩＩＩａ）〜（ＩＩＩｈ）
【化２】
2018530662.tif 000002
2018530662.tif 000003
2018530662.tif 000004
［式中、ｎは１〜６の整数であり、ｐは１又は２に等しい整数である。］の１つを有するコポリマーである、請求項１４に記載のコポリマー。
【請求項１６】
以下の式
【化３】
2018530662.tif 000005
［式中、各Ｘは「官能性末端基」を表し、Ａ、Ａ’、Ａ”及びＡ’”は各々「ポリマー鎖」を表し、Ｒｆ４はハロゲン化結合基を表す。］の星形ポリマーである、請求項１から５のいずれか一項に記載のコポリマー。
【請求項１７】
以下の式の１つを有するコポリマーである、請求項１６に記載のコポリマー。
【化４】
2018530662.tif 000006
【請求項１８】
−  フッ化ビニリデン単位及びテトラフルオロプロペン単位及び１つ以上のヨード末端基を含む１つ以上のポリマー鎖を含むコポリマーを提供する工程；及び
−  １つ以上の前記ヨード末端基を官能化する工程
を含む、請求項１から１７のいずれか一項に記載のコポリマーを調製するための方法。
【請求項１９】
前記提供工程が、開始剤、及び連鎖移動剤としてのヨード化合物の存在下で、フッ化ビニリデンモノマー及びテトラフルオロプロペンモノマーの制御されたラジカル共重合の工程を含む、請求項１８に記載の方法。
【請求項２０】
前記連鎖移動剤が、以下の式の化合物から選択される、請求項１９に記載の方法。
−  Ｆ−（ＣＦ２）２ｎ−Ｉ、
−  ＣＨ２＝ＣＨ−（ＣＦ２）２ｎ−Ｉ、
−  ＣＨ２＝ＣＨ−ＣＨ２−（ＣＦ２）２ｎ−Ｉ、
−  Ｉ−ＣＨ２−ＣＨ２−（ＣＦ２）２ｎ−Ｉ、
−  Ｉ−（ＣＦ２）２ｎ−Ｉ、
−  Ｉ−Ｂ−（ＣＦ２）２ｎ−Ｂ’−Ｉ（Ｂ及びＢ’は各々、ハロゲン化単位から構成されるコポリマー鎖を表す）、
−  式（ＩＩＩａ’）の化合物
【化５】
2018530662.tif 000007
−  式（ＩＩＩｂ’）の化合物
【化６】
2018530662.tif 000008
−  式（ＩＩＩｃ’）の化合物
【化７】
2018530662.tif 000009
−  式（ＩＩＩｄ’）の化合物
【化８】
2018530662.tif 000010
−  式（ＩＩＩｅ’）の化合物
【化９】
2018530662.tif 000011
−  式（ＩＩＩｆ’）の化合物
【化１０】
2018530662.tif 000012
−  式（ＩＩＩｇ’）の化合物
【化１１】
2018530662.tif 000013
−  式（ＩＩＩｈ’）の化合物
【化１２】
2018530662.tif 000014
−  式（ＩＶａ’）の化合物
【化１３】
2018530662.tif 000015
−  式（ＩＶｂ’）の化合物
【化１４】
2018530662.tif 000016
−  式（ＩＶｃ’）の化合物
【化１５】
2018530662.tif 000017
−  式（ＩＶｄ’）の化合物
【化１６】
2018530662.tif 000018
−  式（ＩＶｅ’）の化合物
【化１７】
2018530662.tif 000019
［式中、ｎは１〜６の整数を表し、ｐは２又は３に等しい整数を表す。］